(57)【要約】 【課題】  生分解性に優れた遊技機の装飾シートを提供する。【解決手段】  表面に図柄印刷層５が形成された紙製シートが、生分解性樹脂からなる透明フィルム１の裏面に、接着剤により接合された装飾シートであって、紙製シートとして、紙製基体３の表面に生分解性塗工層４が形成された塗工紙２を用いる。なお、生分解性塗工層４の形成に、ポリエステル系分解性樹脂又は天然多糖類又は動植物系樹脂類が単独又は複数混合された塗工剤を用いることができ、また、紙製基体３として、古紙繊維が生分解性バインダーにより結合されたもの、或いは、紙繊維が間伐材などの植物系廃材から抽出されたものを用いることができる。【選択図】    図１
2006122317.tif 000002
【特許請求の範囲】
【請求項１】
表面に図柄印刷層が形成された紙製シートが、生分解性樹脂からなる透明フィルムの裏面に、接着剤により接合された遊技機の装飾シートであって、前記紙製シートとして、紙製基体の表面に生分解性塗工剤が塗布された塗工紙を用いたことを特徴とする遊技機の装飾シート。
【請求項２】
生分解性塗工剤は、ポリエステル系分解性樹脂又は天然多糖類又は動植物系樹脂類が単独又は複数混合されたものであることを特徴とする請求項１に記載の遊技機の装飾シート。
【請求項３】
紙製基体は、古紙繊維が生分解性バインダーにより結合されて構成されたものであることを特徴とする請求項１に記載の遊技機の装飾シート。
【請求項４】
紙製基体は、紙繊維が間伐材などの植物系廃材から抽出されたものであることを特徴とする請求項１に記載の遊技機の装飾シート。
【請求項５】
生分解性バインダーは、澱粉糊又は酵母粕又はポリエステル系分解性樹脂からなることを特徴とする請求項３に記載の遊技機の装飾シート。
【請求項６】
接着剤として、生分解性接着剤を用いたことを特徴とする請求項１に記載の遊技機の装飾シート。
【請求項７】
接着剤は、色彩が無色透明であることを特徴とする請求項６に記載の遊技機の装飾シート。
【請求項８】
生分解性接着剤は、ポリエステル系樹脂、ポリ乳酸系樹脂、天然ゴム系樹脂、ポリビニールアルコールなどの生分解性樹脂からなるものであることを特徴とする請求項６又は７に記載の遊技機の装飾シート。
【請求項９】
図柄印刷層は、生分解性インキ及び生分解性転写箔のいずれか、又は双方を用いて印刷されていることを特徴とする請求項１に記載の遊技機の装飾シート。
【請求項１０】
生分解性インキは、生分解性樹脂からなるバインダーが汎用有機溶剤に溶解されたものであることを特徴とする請求項９に記載の遊技機の装飾シート。
【請求項１１】
生分解性転写箔は、仮支持体に、少なくとも生分解性保護層と、金属薄膜層と、生分解性基材とが順に積層された構造のものであることを特徴とする請求項９に記載の遊技機の装飾シート。
【発明の詳細な説明】
【技術分野】
【０００１】
本発明は、パチンコ機などの遊技機に用いられる遊技機の装飾シートに関するものである。
【背景技術】
【０００２】
パチンコ機の正面の台板には装飾シートが貼付されて、遊技者の視覚を刺激して遊技の興趣を盛り上げる。このような装飾シートとしては、オフセット印刷などにより図柄が印刷された紙製シートの表面に合成樹脂製の透明フィルムが貼着されたものがある。
【０００３】
遊技機は、遊技の内容が陳腐化したような場合には新台と入れ換えられるが、使用済みの遊技機は解体されてリサイクル使用或いは処分にまわされる。しかしながら、従来の装飾シートは、透明フィルムとして例えば特許文献１に示されているように、セルロイド、セルロースアセテートなどの樹脂フィルムを用いていたので、このような装飾シートを焼却した場合には有毒ガスを発生したりするので一般ゴミとして処分することができない。自然環境に放置した場合にも容易に分解されず、いつまでも形を保持したまま存在するという不都合があった。また、紙製シートとして通常は塗工紙が用いられるが、艶出し用の塗工剤としては、特許文献２に示されるようなアクリル系樹脂や塩化ビニル−酢酸ビニル強重合体などの溶液を用いて、これらを紙製基体に塗布等していた。しかし、このような合成樹脂製の塗工剤を用いたものは、その塗工層が長期間の放置によっても分解されずゴミとして散乱したりするので、埋立てなどの処分を行う必要のあるものであった。
【特許文献１】実開昭５９−７１７２１号公報（図１）
【特許文献２】特開平６−１５７６７９号公報
【発明の開示】
【発明が解決しようとする課題】
【０００４】
本発明は上記した従来の問題点を解決して、生分解性に優れた遊技機の装飾シートを提供することを課題とする。
【課題を解決するための手段】
【０００５】
上記の課題を解決するためになされた本発明の遊技機の装飾シートは、表面に図柄印刷層が形成された紙製シートが、生分解性樹脂からなる透明フィルムの裏面に、接着剤により接合された遊技機の装飾シートであって、前記紙製シートとして、紙製基体の表面に生分解性塗工剤が塗布された塗工紙を用いたことを特徴とするものである。
【０００６】
上記装飾シートにおいて、生分解性塗工剤として、ポリエステル系分解性樹脂又は天然多糖類又は動植物系樹脂類が単独又は複数混合されたものを用いることができ、紙製基体として、古紙繊維が生分解性バインダーにより結合されて構成されたものを用いることができ、または、紙製基体として、紙繊維が間伐材などの植物系廃材から抽出されたものを用いることができる。また、生分解性バインダーとして、澱粉糊又は酵母粕又はポリエステル系分解性樹脂を用いることができ、前記接着剤として、生分解性接着剤を用いることができ、この接着剤を、色彩が無色透明のものとすることができる。
【０００７】
また、生分解性接着剤として、ポリエステル系樹脂、ポリ乳酸系樹脂、天然ゴム系樹脂、ポリビニールアルコールなどの生分解性樹脂からなるものを用いることができ、図柄印刷層を、生分解性インキ及び生分解性転写箔のいずれか、又は双方を用いて印刷されたものとすることができる。さらに、生分解性インキとして、生分解性樹脂からなるバインダーが汎用有機溶剤に溶解されたものを用いることができ、また、生分解性転写箔として、仮支持体に、少なくとも生分解性保護層と、金属薄膜層と、生分解性接着剤層とが順に積層された構造のものを用いることができる。
【発明の効果】
【０００８】
本発明の遊技機の装飾シートは、透明フィルムを生分解性樹脂からなるものとしたうえに、紙製シートを紙製基体の表面に生分解性塗工剤が塗布されたものとしたので、透明フィルムと紙製シートをともに自然放置によって生分解させることができる。よって、焼却や埋め立てなどの処分を必要とせず、かつ自然環境を保全することができる。
【発明を実施するための最良の形態】
【０００９】
以下に図面を参照しつつ本発明の好ましい実施形態を説明する。
図１は、本発明に係る装飾シートの断面を示す図であって、１は透明フィルム、２は塗工紙であって、この塗工紙２は紙製基体３と艶出し用の塗工層４とからなる。５は塗工紙の表面に形成された図柄印刷層、６は透明フィルム１と塗工紙２とを接合する接着剤層である。
【００１０】
本発明においては、透明フィルム１は生分解性樹脂により製造されたものである。この生分解性樹脂は、植物系廃棄物を原料として製造されたものであって、植物系廃棄物としては、古紙、生ゴミ、余剰農作物、木粉、竹、わら、間伐材、家具等の廃材などを用いることができる。
【００１１】
生分解性樹脂の製造に当っては、先ず、植物系廃棄物から植物繊維を取り出す。次いで、植物繊維の主要成分であるセルロースをセルロース分解酵素とともに緩衝液中に投入して、セルロースを分解し糖（ポリ乳酸）を取り出す。次に回収した糖にジカルボン酸などの脂肪酸を加えて共重合することにより、生分解性樹脂を合成することができる。そして、この樹脂をシート状に形成することによって生分解性を有する透明フィルムを製造することができる。
【００１２】
また、本発明においては紙製シートとして、紙製基体３の表面に生分解性塗工剤による塗工層４が形成された塗工紙２を用いる。生分解性塗工剤として、ポリエステル系分解性樹脂又は天然多糖類又は植物系樹脂類が単独又は複数混合されたものを用いることができる。すなわち、ポリ乳酸類、ポリラクトン類、脂肪族ポリエステル類、ポリエステルエーテル共重合体類などのポリエステル系生分解性樹脂が単独又は複数混合されたもの、セルロース、デンプン、グリコーゲンなどの天然多糖類が単独または複数混合されたもの、ゼラチン、ニカワ、タンニン、グルテンなどの動植物系樹脂類が単独又は複数混合されたものを用いることができる。
【００１３】
なお、紙製基体３として、古紙繊維が生分解性バインダーにより結合されて構成されたものを用いるのが、古紙のリサイクル使用の観点から好ましいものである。しかし、従来は古紙を乾式で解繊して得た古紙繊維を用いて紙製基体３を製造するに際して、合成樹脂よりなるバインダーを混合していたので、紙製基体３が分解性に劣るものであった。そこで本発明においては、古紙繊維のバインダーとして生分解性を有するものを用いる。このような生分解性バインダーとして、澱粉糊又は酵母粕又はポリエステル系分解性樹脂を用いることができる。ポリエステル系分解性樹脂として、ポリエチレングリコールが例示される。また、紙製基体３として、紙繊維が植物系廃材から抽出されたものを用いることができる。植物系廃材として、間伐材、家具廃材、家屋解体廃材、木粉、生ゴミ、余剰農作物等を用いることができる。
【００１４】
また、透明フィルム１と塗工紙２とを接合する接着剤として、生分解性接着剤を用いるのが望ましい。生分解性接着剤として、ポリエステル系樹脂、ポリ乳酸系樹脂、天然ゴム系樹脂、ポリビニールアルコールなどの生分解性樹脂からなるものを用いることができる。さらに、生分解性接着剤として、色彩が無色透明のものを用いるのが図柄の発色効果を高めるうえで望ましい。色彩を無色透明とすることによって、図柄印刷層５に施された着色をそのままの色として、透明フィルム１を通して明瞭に見ることができるからである。
【００１５】
また、図柄印刷層５を、生分解性インキ及び生分解性転写箔のいずれか、又は双方を用いて印刷するのが環境保護上望ましい。生分解性インキとして、インク用バインダーとしての生分解性ポリエステルが、酢酸エチル、トルエンなどの毒性の少ない汎用有機溶剤に溶解されたものを用いることができる。このような生分解性インクを用いてオフセット印刷などにより塗工紙２の表面に生分解性を有する図柄印刷層５を形成することができる。
【００１６】
また、生分解性転写箔として図２に示すように、仮支持体１１に離型層１２を介して生分解性保護層１３が形成され、さらに金属薄膜層１４と、生分解性基材１５とが順に積層された構造のものを使用することができる。生分解性保護層１３をポリエステル樹脂を含む樹脂組成物からなるものとし、生分解性接着剤層１５を上記したような生分解性接着剤からなるものとすることができる。このような生分解性転写箔は、優れた金属光沢、付着強度、生分解性を兼ね備えた金属薄膜層１４を有する生分解性転写箔であり、また、生分解性転写箔を生分解性基材１５に転写し、さらに仮支持体１１を剥離することによって得られる生分解性積層体は、優れた金属光沢、付着強度、生分解性を兼ね備えた生分解性積層体である。
【００１７】
〔実施例１〕
塗工紙２として、間伐材から抽出された紙繊維からなる紙製基体３にポリエステル系分解性樹脂の塗工層４が形成されたものを用い、この塗工紙２の表面に生分解性インクを用いて図柄印刷層５を形成した。そして、この図柄印刷層５の上にポリ乳酸系樹脂からなる生分解性接着剤を塗布したうえで、その表面に生分解性樹脂からなる透明フィルム１を貼着した。以上のように構成した装飾フィルムは、自然環境に放置した場合に、透明フィルム１、塗工紙２、図柄印刷層５、接着剤６のいずれも速やかに分解するので環境保全にとってたいへん好ましいものである。
【００１８】
以上に説明したように本発明の遊技機の装飾フィルムは、構成要素のほとんどが生分解性であるので、自然環境下において良好な生分解性を示す。すなわち、廃棄後環境中に存在する微生物により完全に水と炭酸ガスに速やかに分解され、自然環境を汚染することがないという大きな利点を有する。
【図面の簡単な説明】
【００１９】
【図１】装飾シートの構造を示す断面図である。
【図２】転写箔の構造を示す断面図である。
【符号の説明】
【００２０】
１  透明フィルム、２  塗工紙、３  紙製基体、４  塗工層、５  図柄印刷層、６  接着剤、１１  仮支持体、１２  離型層、１３  生分解性保護層、１４  金属薄膜層、１５  生分解性基材。
【図１】
2006122317.tif 000003
【図２】
2006122317.tif 000004